(57)【要約】【課題】各種要因により生じる寸法のバラツキや位置ズレを吸収して正常なアース接続を図ることが可能なアース端子を提供する。【解決手段】重ねて係止した状態の第一アース端子３及び第二アース端子４は、ボルト９による締結部分として第一締結部７及び第二締結部８の二箇所の締結部を有し、この二箇所の締結部のうち一方となる第一締結部７は、第一ボルト穴１３及び二ボルト穴２５を重ねた状態にしてなる。また、二箇所の締結部のうち他方となる第二締結部８は、第一締結部７及び第二締結部８の並ぶ方向を長手とする例えば長円形状の第三ボルト穴１５と、この第三ボルト穴１５よりも大きく且つ締結部材よりも小さく開口形成される第四ボルト穴２７とを重ねた状態にしてなる。【選択図】図１
2015185447.tif 000002
【特許請求の範囲】
【請求項１】
第一アース端子と第二アース端子とを含み、これら前記第一アース端子と前記第二アース端子とを重ねて係止した状態の後にボルトにて接続固定対象物に締め付け固定されるアース端子において、
前記重ねて係止した状態の前記第一アース端子及び前記第二アース端子は、前記ボルトによる締結部分として第一締結部及び第二締結部の二箇所の締結部を有し、
該二箇所の締結部のうち一方は、第一ボルト挿通部及び第二ボルト挿通部を重ねて係止した状態にしてなり、
前記二箇所の締結部のうち他方は、前記第一締結部及び前記第二締結部の並ぶ方向を長手とする楕円形状又は長円形状の第三ボルト挿通部と、該第三ボルト挿通部よりも大きく且つ締結部材よりも小さく開口形成される第四ボルト挿通部とを重ねた状態にしてなる
ことを特徴とするアース端子。
【請求項２】
請求項１に記載のアース端子において、
前記第一アース端子及び前記第二アース端子は、複数本の電線の端末を集中して接続する電線集中接続部を有する
ことを特徴とするアース端子。
【発明の詳細な説明】
【技術分野】
【０００１】
本発明は、アース端子に関し、詳しくは、第一アース端子と第二アース端子とを含み、これらを重ねて係止した状態の後にボルトにて接続固定対象物に締め付け固定されるアース端子に関する。
【背景技術】
【０００２】
図７において、接続固定対象物に対する電線１０１の電気的な接続は、一般的に端子金具１０２が用いられる。端子金具１０２は、導電性を有する金属板をプレス加工することにより形成され、端子本体１０３と、電線接続部１０４とを有する。端子本体１０３には、挿通孔（図示省略）が形成される。この挿通孔には、ボルト１０５が挿通される。ボルト１０５が接続固定対象物に対し締め付け固定されると、電気的な接続も完了する。一方、このような端子本体１０３に連続する電線接続部１０４には、加締め片１０６、１０７が形成される。加締め片１０６、１０７は、加締めが施される部分であって、電線１０１の端末の導体露出部分と絶縁体とを電気的及び機械的に接続固定することができるように形成される。以上が一般的な端子金具１０２及びその接続についてである。
【０００３】
例えば自動車等の車両において、車体へのアース接続にあっては、上記端子金具１０２でなく、図８及び図９に示す如くの専用の端子金具、すなわちアース端子１２１が用いられる（例えば下記特許文献１参照）。これは、一つの箇所に複数本の電線１２２、１２３を効率良く接続できる構造をアース端子１２１が有するからである。図中のアース端子１２１は、電線１２２の端末に設けられる第一アース端子１２４と、電線１２３の端末に設けられる第二アース端子１２５とを備えて構成される。
【０００４】
第一アース端子１２４は、板状の第一アース端子本体１２６と、電線１２２の端末を加締める第一電線接続部１２７とを有する。また、第二アース端子１２５も、板状の第二アース端子本体１２８と、電線１２３の端末を加締める第二電線接続部１２９とを有する。第一アース端子本体１２６、第二アース端子本体１２８は、重ね合わせて一体化するとともに、重ね合わせた後にボルト１３０にてボディ１３１等に締め付け固定されるとアース接続が完了する構造を有する。
【０００５】
上記構造をもう少し具体的に説明すると、第一アース端子本体１２６には、第一ボルト穴１３２が形成される。また、第一ボルト穴１３２の近傍には、第一係止部１３３が形成される。第二アース端子本体１２８も同様に、第二ボルト穴１３４と第二係止部１３５とが形成される。第一アース端子本体１２６と第二アース端子本体１２８とを重ね合わせて一体化すると、第一ボルト穴１３２、第二ボルト穴１３４の部分が締結部１３６として形成される。
【先行技術文献】
【特許文献】
【０００６】
【特許文献１】特開２００６−３２４０５２号公報
【発明の概要】
【発明が解決しようとする課題】
【０００７】
ところで、上記アース端子１２１にあっては、仮にボルト１３０に緩みが生じた場合、端子外れという不具合につながってしまう虞がある。そこで、本願発明者は、図１０に示す如く、二つの締結部１４１、１４２を有するアース端子１４３の提供を考えてみた。
【０００８】
アース端子１４３は、第一アース端子１４４と、第二アース端子１４５とを備えて構成される。第一アース端子１４４は、板状の第一アース端子本体１４６と、電線１４７の端末を加締める第一電線接続部１４８とを有する。また、第二アース端子１４５も、板状の第二アース端子本体１４９と、電線１５０の端末を加締める第二電線接続部１５１とを有する。第一アース端子本体１４６には、一対の第一ボルト穴１５２、１５３が形成される。また、第二アース端子本体１４９にも一対の第二ボルト穴１５４、１５５が形成される。
【０００９】
第一アース端子本体１４６の第一ボルト穴１５２、１５３と、第二アース端子本体１４９の第二ボルト穴１５４、１５５は、円形状で同じサイズ及び同じ位置に形成される。また、ボルト１５６の軸部サイズに合わせても形成される。第一アース端子本体１４６、第二アース端子本体１４９が重ね合わせられると、二つの締結部１４１、１４２が形成され、この後に二つのボルト１５６をそれぞれ第一ボルト穴１５２、１５３、第二ボルト穴１５４、１５５に挿通して締め付けを行うとアース接続が完了する。
【００１０】
以上のようなアース端子１４３にあっては、二つあるボルト１５６のうち、いずれか一つに緩みが生じてもアース機能を維持することができるという効果を奏する。
【００１１】
しかしながら、本願発明者は、アース端子１４３に次のような問題点があることを見つけ出した。すなわち、二つのボルト１５６を用いる締結構造を採用することから、第一アース端子１４４の第一ボルト穴１５２、１５３や第二アース端子１４５の第二ボルト穴１５４、１５５、さらには図示しないボディ側のボルト穴に製造上の寸法バラツキがあると、ボルト１５６の挿通や締め付けに支障を来す等の、正常なアース接続ができないという問題点があることを見つけ出した。
【００１２】
尚、第一アース端子１４４における第一ボルト穴１５２の近傍、及び第二アース端子１４５における第二ボルト穴１５４の近傍に、図９の第一係止部１３３及び第二係止部１３５と同様の係止部を設けた場合、この係止部により生じるガタで上記寸法のバラツキを吸収することができると本願発明者は考えたが、反面、第一アース端子１４４及び第二アース端子１４５を重ねて係止する際に位置ズレが発生する虞があることが懸念される。そのため、第一ボルト穴１５２、１５３や第二ボルト穴１５４、１５５の形状やサイズを見直す必要があることが分かった。
【００１３】
本発明は、上記した事情に鑑みてなされたもので、各種要因により生じる寸法のバラツキや位置ズレを吸収して正常なアース接続を図ることが可能なアース端子を提供することを課題とする。
【課題を解決するための手段】
【００１４】
上記課題を解決するためになされた請求項１に記載の本発明は、第一アース端子と第二アース端子とを含み、これら前記第一アース端子と前記第二アース端子とを重ねて係止した状態の後にボルトにて接続固定対象物に締め付け固定されるアース端子において、前記重ねて係止した状態の前記第一アース端子及び前記第二アース端子は、前記ボルトによる締結部分として第一締結部及び第二締結部の二箇所の締結部を有し、該二箇所の締結部のうち一方は、第一ボルト挿通部及び第二ボルト挿通部を重ねて係止した状態にしてなり、前記二箇所の締結部のうち他方は、前記第一締結部及び前記第二締結部の並ぶ方向を長手とする楕円形状又は長円形状の第三ボルト挿通部と、該第三ボルト挿通部よりも大きく且つ締結部材よりも小さく開口形成される第四ボルト挿通部とを重ねた状態にしてなることを特徴とする。
【００１５】
このような特徴を有する本発明によれば、二箇所ある締結部のうちの一つを寸法のバラツキに対する吸収部分にすることができる。
【００１６】
請求項２に記載の本発明は、請求項１に記載のアース端子において、前記第一アース端子及び前記第二アース端子は、複数本の電線の端末を集中して接続する電線集中接続部を有することを特徴とする。
【００１７】
このような特徴を有する本発明によれば、電線集中接続部を介してたくさんのアース回路（複数本の電線）をアース端子に接続することができる。
【発明の効果】
【００１８】
請求項１に記載された本発明によれば、締結部を二つ有し、そのうちの一つを、楕円形状又は長円形状の第三ボルト挿通部と、大きな径で開口する第四ボルト挿通部とで構成することから、このような第三ボルト挿通部及び第四ボルト挿通部を有する締結部であれば寸法のバラツキや位置ズレを吸収することができるという効果を奏する。寸法のバラツキや位置ズレに関しては、ボディ側のボルト穴の形成、又はボディ側へのボルト立設に起因した寸法のバラツキや位置ズレ、アース端子の製造に起因した寸法のバラツキや位置ズレ、アース端子における第一アース端子及び第二アース端子を重ねて係止した際に発生する位置ズレなどが挙げられる。従って、本発明のアース端子を採用することにより、正常なアース接続をすることができるという効果を奏する。この他、アース端子によれば、締結部を二つ有することから、いずれか一つにボルトの緩みが生じても固定状態が維持され、結果、アース機能を維持することができるという効果も奏する。
【００１９】
請求項２に記載された本発明によれば、請求項１の効果の他に次のような効果も奏する。すなわち、電線集中接続部を有する第一アース端子及び前記第二アース端子であることから、少ないアースポイントでたくさんのアース回路をコンパクト且つ安価に接続できるという効果を奏する。
【図面の簡単な説明】
【００２０】
【図１】本発明のアース端子に係る図であり、第一アース端子及び第二アース端子を重ねる前の状態を示す斜視図である（実施例１）。
【図２】図１の第一アース端子及び第二アース端子を重ねて係止した際の状態を示す斜視図である（実施例１）。
【図３】図２の状態からボルトによる締結を行い、その途中状態を示す平面図である（実施例１）。
【図４】本発明のアース端子の他の例に係る図であり、第一アース端子及び第二アース端子を重ねる前の状態を示す斜視図である（実施例２）。
【図５】図４の第一アース端子及び第二アース端子を重ねて係止した際の状態を示す斜視図である（実施例２）。
【図６】図５の状態からボルトによる締結を行い、その途中状態を示す平面図である（実施例２）。
【図７】従来例の端子金具に係る図であり、締結の状態を示す斜視図である。
【図８】従来例のアース端子に係る図であり、第一アース端子及び第二アース端子を重ね合わせる前の状態を示す斜視図である。
【図９】図８の従来例の第一アース端子及び第二アース端子を重ねて係止した後の図であり、ボルトによる締結を開始する直前の状態を示す斜視図である。
【図１０】二つの締結部を有するアース端子の問題点を示す斜視図である。
【発明を実施するための形態】
【００２１】
近年の車両開発時において、アース電位が原因と考えられるノイズの影響で車両システムに対する不具合が懸念されており、車両のボディを使ったアース接続の形態では、ノイズに対し理想的な、また、きれいなアース接続を実現することが必要になる。本発明は、ノイズ対策としてジョイントを経由しないボディ直接アースを実現する上で有効なアース端子である。
【００２２】
具体的には、第一アース端子と第二アース端子とを備え、これらを重ねて係止した状態にすると締結部が二つ形成される構造のアース端子であり、且つ、二つの締結部のうちの一つが、楕円形状又は長円形状のボルト挿通部と、円形状のボルト挿通部とを重ねた状態に形成される構造のアース端子である。このようなアース端子により、アース端子の製造に起因した寸法のバラツキや位置ズレ、ボディ側のボルト穴形成又はボルト立設に起因した寸法のバラツキや位置ズレ、さらには第一アース端子と第二アース端子とを重ねて係止した際に発生する位置ズレを吸収することができる。従って、ボディ直接アースを実現する上で有効な構造のアース端子である。
【００２３】
アース端子は、電線集中接続部を有することにより、少ないアースポイントでたくさんのアース回路をコンパクト且つ安価に接続することができる。
【実施例１】
【００２４】
以下、図面を参照しながら実施例１を説明する。図１は本発明のアース端子に係る図であり、第一アース端子及び第二アース端子を重ねる前の状態を示す斜視図である。また、図２は図１の第一アース端子及び第二アース端子を重ねて係止した際の状態を示す斜視図、図３は図２の状態からボルトによる締結を行い、その途中状態を示す平面図である。
【００２５】
図１ないし図３において、引用符号１は車両のボディ２（接続固定対象物）に直接アースをするためのアース端子を示す。アース端子１は、第一アース端子３と第二アース端子４とを備えて構成される。第一アース端子３は、電線群５の端末に設けられる。また、第二アース端子４は、電線群６の端末に設けられる。第一アース端子３及び第二アース端子４は、これらを重ねて係止した状態で、すなわちアース端子１の状態でボディ２における所定の一箇所に接続固定される。アース端子１の接続により、電線群５、６は集中的にボディ２にアースされる。
【００２６】
ボディ２に対するアース端子１の接続固定に関し、アース端子１は二つの締結部（第一締結部７及び第二締結部８）を有する。この二つの締結部にそれぞれボルト９、９（締結部材）を挿通しつつ締め付けを行うことで、アース端子１はボディ２に接続固定される。
【００２７】
第一アース端子３及び第二アース端子４は、電線群５、６の側から見ると、第一アース端子３が左アース端子（左端子）、第二アース端子４が右アース端子（右端子）になる。本実施例においては、左アース端子である第一アース端子３がボディ２に接する端子になる。
【００２８】
以下、第一アース端子３及び第二アース端子４の構成及び構造について詳細に説明をする。
【００２９】
第一アース端子３は、電気的な接続用の金属部品である。第一アース端子３は、導電性を有する金属板をプレス加工することによりなる。このような第一アース端子３は、第一アース端子本体１０と、第一電線集中接続部１１と、ボディ係止部１２とを有して図示形状に形成される（形状は一例である）。第一アース端子３は、ボディ２の表面に対し電気的に接触するような形状に形成される。第一アース端子３は、端子軸方向に沿って第一電線集中接続部１１、第一アース端子本体１０、ボディ係止部１２が並び、第二アース端子４よりも長く形成される。本実施例においては、ボディ係止部１２の分だけ長く形成される。
【００３０】
第一アース端子本体１０は、板状の部分に形成される。また、第一アース端子本体１０は、平面視略長方形となる部分に形成される。第一アース端子本体１０は、この表面が第二アース端子４との接触面になるように、また、裏面がボディ２との接触面になるように形成される。このような第一アース端子本体１０には、第一ボルト穴１３（第一ボルト挿通部）と、本体第一係止部１４と、第三ボルト穴１５（第三ボルト挿通部）とが形成される。尚、本実施例においては、ボルト穴の「第一」及び「第三」が上記の如く第一アース端子３側にあり、ボルト穴（ボルト挿通部）の「第二」及び「第四」は後述するが第二アース端子４側にあるものとする。
【００３１】
第一ボルト穴１３は、第一アース端子本体１０の後端側（第一電線集中接続部１１側）に配置形成される。第一ボルト穴１３は、ボルト９を挿通する部分として、また、第一締結部７を構成する部分として形成される。第一ボルト穴１３は、ボルト９の軸部を挿通することができるように形成される。本実施例においては、穴縁部に後述する本体第一係止部１４が配置されることから、第一ボルト穴１３は非円形状に形成される。
【００３２】
本体第一係止部１４は、第一アース端子３及び第二アース端子４を重ね合わせた際に、これらを係止状態にする部分（係止部）として形成される。本体第一係止部１４は、本実施例において、第一ボルト穴１３の穴縁部に配置形成される右側第一主係止部１６及び左側第一主係止部１７と、第一ボルト穴１３の近傍に配置形成される第一補助係止部１８とを含んで構成される。尚、本体第一係止部１４の上記構成は一例である。本体第一係止部１４は、係止部として機能すればよい。
【００３３】
第三ボルト穴１５は、第一アース端子本体１０の前端側（ボディ係止部１２側）に配置形成される。第三ボルト穴１５は、ボルト９を挿通する部分として、また、第二締結部８を構成する部分として形成される。第三ボルト穴１５は、ボルト９の軸部を挿通することができるように形成される。第三ボルト穴１５と、上記第一ボルト穴１３との違いは、図示からも分かるように第三ボルト穴１５の形状が長円形状になることである（長円形状は一例である）。
【００３４】
第三ボルト穴１５と第一ボルト穴１３は、端子軸方向に所定の間隔をあけて並ぶように配置される。長円形状の第三ボルト穴１５は、この長手方向が端子軸方向に沿うように形成される。第三ボルト穴１５の長手方向の長さは、後述する寸法のバラツキや位置ズレを吸収することができる長さに設定される（長手方向の長さは、任意に設定される）。一方、第三ボルト穴１５の短手方向の長さは、ボルト９の軸部の径に合わせて設定される（一例である）。尚、第三ボルト穴１５の穴形状は、上記長円形状に限らず、例えば楕円形状であってもよい。長円形状の場合は、後述するワッシャ２４との接触面積が楕円形状の場合よりも大きく確保され、そのため面圧の低下を防いで信頼性の向上を図ることができる。楕円形状は、後述する寸法のバラツキや位置ズレの吸収に有効な形状の一つである。
【００３５】
第一電線集中接続部１１は、第一アース端子本体１０の後端に連成される。第一電線集中接続部１１は、第一アース端子３及び第二アース端子４を重ね合わせた際に、第二アース端子４側の第二電線集中接続部２３（後述する）に干渉しない位置に配置形成される。第一電線集中接続部１１は、本実施例において、上記後端の左隅位置に配置形成される。このような第一電線集中接続部１１は、電線群５を電気的且つ機械的に接続固定する部分として形成される。本実施例においては、電線群５の導体部分を加締める一対の第一導体加締め片１９と、電線群５の被覆部分を加締める一対の第一被覆加締め片２０とを有する。尚、電気的な接続は加締めに限らないものとする。例えば溶接や溶着等、公知の接続手段を採用すればよい。
【００３６】
ボディ係止部１２は、第一アース端子本体１０の前端に連成される。ボディ係止部１２は、先細りするようなアーム状の形状に形成される。先端には、ボディ２の図示しない穴部に差し込まれて係止される先端係止部２１が形成される。先端係止部２１が係止されることにより、ボルト９の締め付けの際の端子の不必要な回りが規制される。尚、ボディ係止部１２の形成は任意である。
【００３７】
第二アース端子４は、第一アース端子３と同様、電気的な接続用の金属部品である。第二アース端子４も導電性を有する金属板をプレス加工することによりなる。このような第二アース端子４は、第二アース端子本体２２と、第二電線集中接続部２３とを有して図示形状に形成される（形状は一例である）。第二アース端子４は、第一アース端子３の表面に対し電気的に接触するような形状に形成される。第二アース端子４は、第一アース端子３の第一アース端子本体１０及び第一電線集中接続部１１の位置に合わせて第二アース端子本体２２及び第二電線集中接続部２３が配置形成される。
【００３８】
第二アース端子本体２２は、板状の部分に形成される。また、第二アース端子本体２２は、平面視略長方形となる部分に形成される。第二アース端子本体２２は、この裏面が第一アース端子３との接触面になり、表面がボルト９の締め付けの際にワッシャ２４（締結部材）からの押圧を受ける面になるように形成される。このような第二アース端子本体２２には、第二ボルト穴２５（第二ボルト挿通部）と、本体第二係止部２６と、第四ボルト穴２７（第四ボルト挿通部）とが形成される。
【００３９】
第二ボルト穴２５は、第二アース端子本体２２の後端側（第二電線集中接続部２３側）に配置形成される。第二ボルト穴２５は、ボルト９を挿通する部分として、また、第一締結部７を構成する部分として形成される。第二ボルト穴２５は、ボルト９の軸部を挿通することができるように形成される。本実施例においては、穴縁部に後述する本体第二係止部２６が配置されることから、第二ボルト穴２５は非円形状に形成される。
【００４０】
本体第二係止部２６は、第一アース端子３及び第二アース端子４を重ね合わせた際に、これらを係止状態にする部分（係止部）として形成される。本体第二係止部２６は、本実施例において、第二ボルト穴２５の穴縁部に配置形成される左側第二主係止部２８及び右側第二主係止部２９と、第二ボルト穴２５の近傍に配置形成される第二補助係止部３０とを含んで構成される。尚、本体第二係止部２６の上記構成は一例である。本体第二係止部２６は、係止部として機能すればよい。
【００４１】
第四ボルト穴２７は、第二アース端子本体２２の前端側に配置形成される。第四ボルト穴２７は、ボルト９を挿通する部分として、また、第二締結部８を構成する部分として形成される。第四ボルト穴２７は、ボルト９の軸部を挿通することができるように形成される。第四ボルト穴２７と、上記第二ボルト穴２５との違いは、図示からも分かるように第四ボルト穴２７の形状が大きな径の円形状になることである。また、第四ボルト穴２７と、第一アース端子３の第三ボルト穴１５との違いは、第三ボルト穴１５が長円形状であるのに対し第四ボルト穴２７が大きな径の円形状になることが本実施例での違いである。尚、第四ボルト穴２７は円形状に限らないものとする。
【００４２】
第四ボルト穴２７は、第三ボルト穴１５よりも大きく開口形成される（但し、ボルト９の締め付けの際に用いるワッシャ２４よりも小さく開口形成される。この他、ワッシャ２４を用いないのであればボルト頭部よりも小さく開口形成される。或いは、ボディ２側にボルト（スタッドボルト）を立設する場合はナットよりも小さく開口形成される）。第四ボルト穴２７と第二ボルト穴２５は、端子軸方向に所定の間隔をあけて並ぶように配置される。第四ボルト穴２７は、後述する寸法のバラツキや位置ズレを吸収することができる大きさに形成される。
【００４３】
第二電線集中接続部２３は、第二アース端子本体２２の後端に連成される。第二電線集中接続部２３は、第一アース端子３及び第二アース端子４を重ね合わせた際に、第一アース端子３側の第一電線集中接続部１１に干渉しない位置に配置形成される。第二電線集中接続部２３は、本実施例において、上記後端の右隅位置に配置形成される。このような第二電線集中接続部２３は、電線群６を電気的且つ機械的に接続固定する部分として形成される。本実施例においては、電線群６の導体部分を加締める一対の第二導体加締め片３１と、電線群６の被覆部分を加締める一対の第二被覆加締め片３２とを有する。第二電線集中接続部２３は、第一アース端子３の第一電線集中接続部１１と同じに形成される。
【００４４】
上記構成及び構造において、アース端子１の組み付けは、先ず図１に示す如く第一アース端子３及び第二アース端子４を左右に並べ、次に互いを近づけるように横にスライドさせながら図２に示す如く上下に重ね合わせるとともに、この時に本体第一係止部１４及び本体第二係止部２６を係止させることで完了する。重ね合わせにより第一締結部７及び第二締結部８が形成される。その後、アース端子１をボディ２の所定位置に載置し、図３に示す如くボルト９を第一締結部７に挿通しつつボディ２のネジ穴（ボルト穴）に締め付けると、アース端子１は先ず第一締結部７の部分で固定される。続いて、ボルト９を第二締結部８に挿通しつつ上記とは別のネジ穴に締め付けるとアース端子１は第二締結部８の部分でも固定され、これにより電気的な接続も完了する。尚、本実施例ではボルト９を使用することで説明をしたが、例えばボディ２側にボルト（スタッドボルト）を立設し、これにアース端子１を挿通した上でナットを締め付ける固定方法を採用してもよい。
【００４５】
本実施例においては、仮に第二締結部８に対応する位置にあるボディ２のネジ穴が寸法通りに形成されず位置ズレしていたとしても、その位置ズレを第二締結部８の構成及び構造により吸収することができる。すなわち、本発明に係るアース端子１であれば正常なアース接続をすることができる。また、本実施例においては、本体第一係止部１４及び本体第二係止部２６を係止した際に僅かなガタが発生したとしても、第二締結部８の構成及び構造で位置ズレを吸収することができる。
【００４６】
以上、図１ないし図３を参照しながら説明してきたように、アース端子１によれば、第一アース端子３と第二アース端子４とを備え、これらを重ねて係止した状態にすると締結部が二つ形成される構造であり、且つ、二つの締結部（第一締結部７及び第二締結部８）のうちの一つ（第二締結部８）が、楕円形状又は長円形状のボルト挿通部（第三ボルト穴１５）と、円形状のボルト挿通部（第四ボルト穴２７）とを重ねた状態に形成される構造であることから、ボディ２側のボルト穴形成又はボルト立設に起因した寸法のバラツキや位置ズレ、アース端子１の製造に起因した寸法のバラツキや位置ズレ、さらには第一アース端子３と第二アース端子４とを重ねて係止した際に発生する位置ズレがあってもこれを吸収することができる。従って、上記構造を採用することにより、正常なアース接続をすることができるという効果を奏する。
【００４７】
この他、アース端子１によれば、第一締結部７及び第二締結部８を有することから、いずれか一つにボルト９の緩みが生じても固定状態が維持され、結果、アース機能を維持することができるという効果を奏する。また、アース端子１によれば、第一電線集中接続部１１、第二電線集中接続部２３を有することから、少ないアースポイントでたくさんのアース回路をコンパクト且つ安価に接続できるという効果も奏する。
【実施例２】
【００４８】
以下、図面を参照しながら実施例２を説明する。図４は本発明のアース端子接続構造の他の例に係る図であり、第一アース端子及び第二アース端子を重ねる前の状態を示す斜視図である。また、図５は図４の第一アース端子及び第二アース端子を重ねて係止した際の状態を示す斜視図、図６は図５の状態からボルトによる締結を行い、その途中状態を示す平面図である。尚、上記実施例１と基本的に同じ構成部材には同一の符号やダッシュ付きの符号を付して詳細な説明を省略する。
【００４９】
図４ないし図６において、実施例２のアース端子１′は、実施例１の変形例であって、第一アース端子３と第二アース端子４′とを備えて構成される。第一アース端子３は、実施例１と同じものである。第二アース端子４′は、第二アース端子本体２２′と、第二電線集中接続部２３とを有し、第二アース端子本体２２′には、第二ボルト穴２５と、本体第二係止部２６と、第四ボルト挿通部２７′とが形成される。第二アース端子４′は、実施例１のものに切り欠き部３３を付加して第四ボルト挿通部２７′としたものである。
【００５０】
切り欠き部３３は、第二ボルト穴２５から離れる側の穴縁部を切り欠いて形成される。また、切り欠き部３３は、第一アース端子３における第三ボルト穴１５の短手方向の開口幅以上の大きさに形成される。切り欠き部３３の形成により第四ボルト挿通部２７′の部分は、Ｕ字状に開口するように形成される。第四ボルト挿通部２７′の図示形状は、実施例１の第四ボルト穴２７を代替する形状の一例である。本発明では「穴」に限らず「スリット」等でもよい。尚、ワッシャ２４の接触面積が若干小さくなるが、図示の切り欠き部３３の開口の程度であれば問題はない。
【００５１】
上記構成及び構造において、実施例２のアース端子１′も実施例１と同様の効果を奏するのは勿論である。従って、正常なアース接続をすることができるという効果を奏する。また、ボルト９の緩みが生じてもアース機能を維持することができるという効果を奏する。さらには、少ないアースポイントでたくさんのアース回路をコンパクト且つ安価に接続できるという効果を奏する。
【００５２】
この他、本発明は本発明の主旨を変えない範囲で種々変更実施可能なことは勿論である。
【００５３】
上記説明では、第一アース端子３に第三ボルト穴１５が形成され、第二アース端子４には第四ボルト穴２７が形成されることから、下側の穴が長円形状（又は楕円形状）、上側の穴が円形状になるが、これに限定されるものでなく、形状を上下逆にしてもよい（第四ボルト穴２７と第三ボルト穴１５を上下逆に配置してもよい）。また、上記説明では、電線群５、６を多数の電線からなるものとするが、これに限定されるものでなく、例えば単なる一本の電線（高圧電線又は低圧電線）であってもよい。
【符号の説明】
【００５４】
１、１′…アース端子、  ２…ボディ（接続固定対象物）、  ３…第一アース端子、  ４、４′…第二アース端子、  ５、６…電線群、  ７…第一締結部、  ８…第二締結部、  ９…ボルト（締結部材）、  １０…第一アース端子本体、  １１…第一電線集中接続部、  １２…ボディ係止部、  １３…第一ボルト穴（第一ボルト挿通部）、  １４…本体第一係止部、  １５…第三ボルト穴（第三ボルト挿通部）、  １６…右側第一主係止部、  １７…左側第一主係止部、  １８…第一補助係止部、  １９…第一導体加締め片、  ２０…第一被覆加締め片、  ２１…先端係止部、  ２２、２２′…第二アース端子本体、  ２３…第二電線集中接続部、  ２４…ワッシャ（締結部材）、  ２５…第二ボルト穴（第二ボルト挿通部）、  ２６…本体第二係止部、  ２７…第四ボルト穴（第四ボルト挿通部）、  ２７′…第四ボルト挿通部、  ２８…左側第二主係止部、  ２９…右側第二主係止部、  ３０…第二補助係止部、  ３１…第二導体加締め片、  ３２…第二被覆加締め片、  ３３…切り欠き部
【図１】
2015185447.tif 000003
【図２】
2015185447.tif 000004
【図３】
2015185447.tif 000005
【図４】
2015185447.tif 000006
【図５】
2015185447.tif 000007
【図６】
2015185447.tif 000008
【図７】
2015185447.tif 000009
【図８】
2015185447.tif 000010
【図９】
2015185447.tif 000011
【図１０】
2015185447.tif 000012